(57)【要約】【課題】光ディスクメディアのレーベル面に良好に印刷を行うことのできる光ディスク装置を提供する。  【解決手段】ディスク駆動機構にクランプされた光ディスクのレーベル面に印刷を行う印刷ヘッド１６を備え、コントローラからの停止命令によりスピンドルモータ２１への駆動電流の供給が断たれから回転数が所定の値以下になったことが検出されたとき、印刷ヘッド１５によるレーベル印刷を開始するように制御する。クランプ部など、スピンドルモータ２１の回転の負荷となる部品の荷重を選定したり、はずみ車１０２などの荷重調整部材を付加することによって、モータが停止した後、それらの荷重がもたらす慣性力によって、モータが光ディスクメディアのレーベル印刷に適した速度で安定して回転する。これにより、良好な品位でレーベル印刷を行うことが可能になる。【選択図】  図１０
2007196462.tif 000002
【特許請求の範囲】
【請求項１】
光ディスクメディアをクランプするクランプ部と、
前記クランプ部と連結され、前記クランプ部によってクランプされた前記光ディスクメディアを駆動するモータと、
前記クランプ部によってクランプされた前記光ディスクメディアのレーベル面に印刷を行う印刷ヘッドと、
前記モータの回転数を検出する回転数検出部と、
前記モータを停止させるように制御し、前記モータの回転数が所定の値以下になったことが前記回転数検出部にて検出されたとき、前記印刷ヘッドによる印刷を実行させる制御部と、
を具備することを特徴とする光ディスク装置。
【請求項２】
前記クランプ部が、前記モータの駆動軸に固定された下ディスククランプと、前記光ディスクメディアを前記下ディスククランプとの間で挟持しつつ前記下ディスククランプおよび前記光ディスクメディアとともに一体で回転する上ディスククランプとを有し、
前記上ディスククランプには、これと同軸に一体で回転する荷重調整部材が連結されていることを特徴とする請求項１に記載の光ディスク装置。
【請求項３】
前記荷重調整部材の前記上ディスククランプとの連結のオンオフを切り替える荷重調整部材連結切替部をさらに具備することを特徴とする請求項２に記載の光ディスク装置。
【請求項４】
前記印刷ヘッド、前記上ディスククランプ、および前記荷重調整部材が、１つのユニットとして一体化され、装置本体に対して着脱自在に構成されていることを特徴とする請求項３に記載の光ディスク装置。
【請求項５】
前記印刷ヘッドを前記光ディスクメディアの半径方向に搬送する印刷ヘッド搬送機構をさらに具備することを特徴とする請求項１に記載の光ディスク装置。
【請求項６】
前記ユニットは、
前記印刷ヘッドを表出させる開口部と、
前記印刷ヘッド搬送機構により搬送された前記印刷ヘッドを受けて前記開口部を開放するように移動自在なシャッターと
をさらに具備することを特徴とする請求項５に記載の光ディスク装置。
【請求項７】
光ディスクメディアをクランプするクランプ部と、前記クランプ部と連結され、前記クランプ部によってクランプされた前記光ディスクメディアを駆動するモータと、前記クランプ部によってクランプされた前記光ディスクメディアのレーベル面に印刷を行う印刷ヘッドとを備え、
制御部からの停止命令により前記ディスクモータの回転数が所定の値以下になったことが検出されたとき、前記印刷ヘッドによる前記光ディスクメディアのレーベル面への印刷を開始するように制御することを特徴とする光ディスク装置の制御方法。
【発明の詳細な説明】
【技術分野】
【０００１】
本発明は、追記型や書き替え型の光ディスクメディアに対する情報の記録または再生を行う光ディスク装置に係り、特に、当該光ディスクメディアのレーベル面への印刷を行うことが可能なレーベル印刷機能を搭載した光ディスク装置およびその制御方法に関する。
【背景技術】
【０００２】
近年、ＤＶＤ（Ｄｉｇｉｔａｌ  Ｖｅｒｓａｔｉｌｅ  Ｄｉｓｃ）−ＲやＣＤ−Ｒなどの追記型ディスク、ＤＶＤ−ＲＷ、ＣＤ−ＲＷなどの書き替え型ディスクを映像や音声などのコンテンツを記録する媒体として利用することが一般的になってきている。所有するこれらの光ディスクメディアの枚数が増大すると、これらの管理が煩雑になることから、光ディスクメディアのレーベル面に記録コンテンツに関する情報を印刷することがユーザにとって大変有益である。
【０００３】
そこで、光ディスクメディアのレーベル面に印刷を行う機能を搭載した光ディスク装置が各種提案されている。たとえば、特許文献１では、光ピックアップのレーザ光を用いて印刷を行う方式が提案されている。
【０００４】
また、特許文献２では、光ディスク装置に印刷ヘッドを搭載して、スピンドルモータによって回転する光ディスクに印刷ヘッドで印刷を行う方式が提案されている。
【特許文献１】特開２００４−２８０９５３号公報
【特許文献２】特表２００２−５１２１４０号公報
【発明の開示】
【発明が解決しようとする課題】
【０００５】
しかしながら、光ピックアップのレーザ光を用いて印刷を行う方式は、描画専用色素を採用した専用メディアを用いなければならないなど、使用できるメディアの制約がある。また、スピンドルモータによって光ディスクを回転させて印刷ヘッドで印刷を行う方式では、レーベル印刷に好適な低回転数ではスピンドルモータの回転が安定せずに印刷の歪みが発生しやすいという問題があった。
【０００６】
本発明は、これらの状況を鑑みてなされたものであり、光ディスクメディアのレーベル面に良好に印刷を行うことのできる光ディスク装置を提供することを目的としている。
【課題を解決するための手段】
【０００７】
上記目的を達成するために、本発明の光ディスク装置は、光ディスクメディアをクランプするクランプ部と、前記クランプ部と連結され、クランプ部によってクランプされた光ディスクメディアを駆動するモータと、クランプ部によってクランプされた光ディスクメディアのレーベル面に印刷を行う印刷ヘッドと、モータの回転数を検出する回転数検出部と、モータを停止させるように制御し、モータの回転数が所定の値以下になったことが回転数検出部にて検出されたとき、印刷ヘッドによる印刷を実行させる制御部とを具備することを特徴とする。
【０００８】
本発明によれば、クランプ部など、モータの負荷となる部品の荷重を選定することによって、モータが停止した後、それらの荷重がもたらす慣性力によって、モータが光ディスクメディアのレーベル印刷に適した速度で安定して回転する。これにより、良好な品位でレーベル印刷を行うことが可能になる。
【０００９】
また、本発明において、クランプ部は、モータの駆動軸に固定された下ディスククランプと、光ディスクメディアを下ディスククランプとの間で挟持しつつ下ディスククランプおよび光ディスクメディアとともに一体で回転する上ディスククランプとを有し、上ディスククランプには、これと同軸に一体で回転する荷重調整部材が連結された構成とすることも可能である。
【００１０】
さらに、本発明は、荷重調整部材の上ディスククランプとの連結のオンオフを切り替える荷重調整部材連結切替部をさらに具備するものであってもよい。
【００１１】
また、印刷ヘッド、上ディスククランプ、および荷重調整部材が、１つのユニットとして一体化され、装置本体に対して着脱自在に構成されていてもよい。これにより、既存の光ディスク装置へのレーベル印刷機能の後付けを容易に行うことができ、レーベル印刷機能のメンテナンス性が向上する。
【００１２】
また、本発明は、印刷ヘッドを光ディスクメディアの半径方向に搬送する印刷ヘッド搬送機構をさらに具備するものであってもよい。これにより光ディスクメディアの異なる半径位置にわたって印刷を行うことができ、光ディスクメディアのレーベル面のほぼ全面に印刷を行うことができる。
【００１３】
また、ユニットは、印刷ヘッドを表出させる開口部と、印刷ヘッド搬送機構により搬送された印刷ヘッドを受けて開口部を開放するように移動自在なシャッターとをさらに具備するものであってもよい。これによりレーベル印刷時以外の余分な飛散インクを防ぐことができる。
【発明の効果】
【００１４】
本発明の光ディスク装置およびその制御方法によれば、光ディスクメディアのレーベル面に良好に印刷を行うことができる。
【発明を実施するための最良の形態】
【００１５】
以下、本発明の実施の形態を図面に基づき説明する。
【００１６】
図１は本発明の第１の実施形態にかかるレーベル印刷機構を搭載したトレイ方式の光ディスク装置１００を示す斜視図である。図２は図１の光ディスク装置が備えるディスククランプ構造を示す図である。
【００１７】
この光ディスク装置１００は、立方体に形成される筐体１の一側面（前面）から、光ディスクメディアＤを搭載するディスクトレイ３をせり出すことができるように構成されている。すなわち、ディスクトレイ３は、光ディスクメディアＤを筐体１内の光ピックアップにより記録が行われる第１の位置と筐体１の外のユーザによるメディア交換作業が可能な第２の位置との間で、光ディスクメディアＤのレーベル面に沿う方向に搬送可能なように設けられている。筐体１の前面にはディスクトレイ３を出し入れするための開口部５が設けられ、この開口部５はディスクトレイ３の出し入れに連動してほぼ９０度の範囲で回動するトレイカバー７によって開放／閉鎖される。
【００１８】
ディスクトレイ３の表面には、光ディスクメディアＤの外形に適合するディスク搭載凹部９が形成され、ディスクトレイ３はこのディスク搭載凹部９に光ディスクメディアＤをそのデータ記録面を裏向きにセットした状態で搬送される。
【００１９】
ディスクトレイ３のディスク搭載凹部９には、ディスクトレイ３の裏側から、後述するディスク駆動機構であるスピンドルモータの駆動軸の先端に固定されたディスク保持部の挿入を可能にし、かつ光ピックアップの少なくとも対物レンズ部分をディスクトレイ３に搭載された光ディスクメディアＤのデータ記録面に対して開口するための穴部８が設けられている。下ディスククランプ２２は、図２に示すように、後述する印刷ユニット１５に設けられた上ディスククランプ３９との間で、光ディスクメディアＤのセンター穴の周辺部を挟持して光ディスクメディアＤを保持するものである。下ディスククランプ２２と上ディスククランプ３９とはたとえばマグネットなどの結合手段３８によって着脱可能とされている。
【００２０】
図３は図１の光ディスク装置１００の内部を示した斜視図、図４は図３中の光ディスク装置１００の内部構成から印刷ユニット１５を取り外して示す斜視図である。
【００２１】
筐体１内には、光ディスクメディアＤを保持して駆動するディスク駆動機構が設けられている。ディスク駆動機構は、モータホルダ２０と、このモータホルダ２０に固定されたスピンドルモータ２１と、このスピンドルモータ２１の駆動軸２３に固定された下ディスククランプ２２とを備えている。上記のスピンドルモータ２１は、自ら（ロータ）の回転数を検出するための周波数ジェネレータ（ＦＧ）を備える。下ディスククランプ２２は、光ディスクメディアＤのセンター穴と係合しつつこのセンター穴の周囲を印刷ユニット１５に設けられた上ディスククランプ３９との間で挟持する。
【００２２】
また、筐体１内には、ディスク駆動機構に保持されつつ駆動される光ディスクメディアＤのデータ記録面にレーザ光を照射して記録や再生を行う光ピックアップ１１と、ディスクトレイ３を光ピックアップ１１により光ディスクメディアＤへの記録が行われる位置と筐体１の外のユーザによるメディア交換作業が可能な位置との間で搬送する搬送機構などが内蔵されている。搬送機構はスレッドモータ２５を動力源とする。なお、スレッドモータ２５は、スレッドモータ２５の動作量を計測するポテンショメータを有している。また、ディスクトレイ３の搬送を案内するために、筐体１内の対向する一対の内側面にはそれぞれトレイガイドレール４，４が設けられている。
【００２３】
さらに、ディスクトレイ３の引き込み動作と連動して、ディスクトレイ３に搭載された光ディスクメディアＤを下ディスククランプ２２で下方から若干量押し上げてディスククランプとの間で保持（クランプ）し、逆にディスクトレイ３の排出動作と連動してクランプを解除し、ディスクトレイ３のディスク搭載凹部９に光ディスクメディアＤを返却するように、モータホルダ２０をモータガイド板２７のガイド溝２８に従って上下動させるための機構が設けられている。なお、モータガイド板２７はモータホルダ２０の両側に対向して配置されている。図４では一方のモータガイド板２７のみが示されている。ガイド溝２８には、モータホルダ２０に突出して設けられたガイドピン２９が係合されており、このガイドピン２９がガイド溝２８に沿って案内されることで、モータホルダ２０の上下動が行われるようになっている。モータガイド板２７はディスクトレイ３の搬送に伴ってこのディスクトレイ３の搬送方向に共にスライドするように支持されている。モータガイド板２７がスライドすることでガイド溝２８内でのガイドピン２９の位置が変位し、ガイド溝２８のカム形状に従ってモータホルダ２０が上下動する。
【００２４】
光ピックアップ１１は、ディスク駆動機構に保持された光ディスクメディアＤの径方向に搬送可能に支持されている。光ピックアップ１１には、ガイド軸１３に沿って自らを搬送駆動するための図示しない送り機構が搭載されている。
【００２５】
次に、このトレイ方式の光ディスク装置１００の基本的な動作を説明する。
【００２６】
光ディスクメディアＤを搭載したディスクトレイ３はスレッドモータ２５を動力源とする搬送機構によって筐体１の内へ引き込まれ、筐体１内に全体が収容される。このディスクトレイ３の引き込み動作と連動してモータホルダ２０が上昇する。するとスピンドルモータ２１の下ディスククランプ２２がディスクトレイ３の穴部８を通り抜け、ディスクトレイ３のディスク搭載凹部９にセットされている光ディスクメディアＤのセンター穴の周辺面と当接してディスク搭載凹部９から光ディスクメディアＤを若干量押し上げ、印刷ユニット１５の下面に配置されている上ディスククランプ３９との間で光ディスクメディアＤを保持する。この状態でスピンドルモータ２１を起動させることによって光ディスクメディアＤが回転され、光ピックアップ１１からレーザ光を出射して光ディスクメディアＤのデータ記録面に集光させることによって、光ディスクメディアＤに対して情報の記録または再生が行われる。
【００２７】
光ディスクメディアＤを取り出す場合には、ディスクトレイ３がスレッドモータ２５を動力源とする搬送機構によって筐体１内から排出される。このディスクトレイ３の排出動作と連動してモータホルダ２０が下降する。これによりスピンドルモータ２１がディスクトレイ３の引き込み時とは逆方向に一定量移動し、下ディスククランプ２２と上ディスククランプ３９とによる光ディスクメディアＤの保持が解除され、光ディスクメディアＤはディスクトレイ３のディスク搭載凹部９に収まる。光ディスクメディアＤがディスクトレイ３のディスク搭載凹部９に収まった後もディスクトレイ３の排出のための搬送は継続され、最終的に筐体１の外の、ユーザによるメディア交換作業が可能な位置まで排出され、ディスクトレイ３のディスク搭載凹部９から光ディスクメディアＤを取り出すことが可能になる。
【００２８】
さらに、筐体１内には、ディスクトレイ３に搭載された光ディスクメディアＤのデータ記録面とは反対側の面であるレーベル面に文字や画像をインクにより印刷するための印刷ヘッドを搭載した印刷ユニット１５が着脱自在に設けられている。この印刷ユニット１５はディスクトレイ３の上方、すなわち印刷ヘッドのヘッド面がディスクトレイ３に搭載された光ディスクメディアＤのレーベル面と対向するように配置されている。印刷ユニット１５の左右の計４箇所には取り付け片３１が設けられており、これらの取り付け片３１はトレイガイドレール４，４に設けられたユニット受け部３３にて支持され、ビスなどの連結具によって連結されている。
【００２９】
図５は印刷ユニット１５をディスクトレイ３と対向する面側からみた斜視図である。印刷ユニット１５のディスクトレイ３との対向面には、上ディスククランプ３９が突出して配置されている。同対向面には印刷ヘッド１６を表出させるための開口３５が設けられており、この開口３５より印刷ヘッド１６はそのインク吐出口３７の部分を突出させて配置されている。
【００３０】
図６は印刷ヘッド１６を示す斜視図である。印刷ヘッド１６のヘッド面にはインク吐出口３７が形成されている。インク吐出口３７は、たとえば数十本のインク吐出ノズルを有している。インクジェット方式の場合、印刷ヘッド１６のヘッド面は、搬送される光ディスクメディアＤのレーベル面に対して矢印方向に相対的に移動し、光ディスクメディアＤのレーベル面にインクを吹き付けて印刷を行う。
【００３１】
図７は印刷ユニット１５のトップカバー１５ａを外して示した斜視図、図８は、図７から印刷ヘッドベース４１を外して示す斜視図である。印刷ヘッドベース４１は、印刷ヘッド１６を保持するとともにこの印刷ヘッド１６をディスクトレイ３の搬送方向に移動させる機構を支持するベースである。
【００３２】
この印刷ヘッド１６の搬送機構においては、印刷ヘッド１６が印刷ヘッドホルダ４３に着脱自在に保持されている。印刷ヘッドホルダ４３は、シャフト連結板１１３を介して一対のヘッドシャフト４６にてスライド自在に支持されている。ヘッドシャフト４６は、複数のシャフト支持部４７を介して印刷ヘッドベース４１と印刷ユニット１５のバックカバー１５ｃとに固定されている。また、印刷ヘッドベース４１には、ヘッド可動モータ４９が支持されている。このヘッド可動モータ４９の駆動軸には、同軸でボールネジ５１が連結されており、このボールネジ５１は、シャフト連結板１１３に設けられたラック５３と噛み合っている。すなわち、ヘッド可動モータ４９は、その動力がボールネジ５１を通じてラック５３に伝達されることによって、印刷ヘッドホルダ４３をヘッドシャフト４６に沿って移動させる。
【００３３】
さらに、印刷ユニット１５には、光ディスクメディアＤへのレーベル印刷時に光ディスクメディアＤの印刷に適した低速で安定して回転させるための低速回転安定化機構１０１が設けられている。
【００３４】
次に、この低速回転安定化機構１０１について主に図７および図８に基づき説明を行う。
【００３５】
この低速回転安定化機構１０１は、スピンドルモータ２１と一体で回転する、荷重調整部材であるはずみ車１０２を備える。すなわち、印刷ユニット１５のアンダーカバー１５ａには、貫通孔１０３が穿孔されており、貫通孔１０３をスピンドルモータ２１の駆動軸２３が貫通している。はずみ車１０２は、アンダーカバー１５ａを挟んで、上ディスククランプ３９と対向する位置で駆動軸２３に固定されている。したがって、下ディスククランプ２２、上ディスククランプ３９、これらに挟持される光ディスクメディアＤ、およびはずみ車１０２は、スピンドルモータ２１の駆動により、当該はずみ車１０２による慣性力を得ながら一体となって回転する。
【００３６】
ここで、光ディスク装置１００は、上記した印刷ユニット１５や、スピンドルモータ２１の駆動回路などを含む装置内の各ハードウェアを統括的に制御するコントローラを備える。このコントローラは、スピンドルモータ２１の駆動回路を構成する周波数ジェネレータ（ＦＧ）を通じて、当該スピンドルモータ自身（ロータ）の回転数、つまりスピンドルモータ２１の回転数を検出する。
【００３７】
さらに、コントローラは、光ディスクメディアＤへのレーベル印刷時に次のような制御を行う。コントローラは、光ピックアップ１１による光ディスクメディアＤのへの情報の記録が完了した後、スピンドルモータ２１の停止命令を発生して図示しないモータ駆動回路に出力する。これによりスピンドルモータ２１への駆動電流が途絶えてスピンドルモータ２１の回転が徐々に減速する。コントローラは、スピンドルモータ２１の回転数が所定の回転数（たとえば８０〜１２０ｒｐｍ）以下になったことを、上記の周波数ジェネレータ（またはロータリエンコーダなど）を通じて検出すると、印刷ヘッド１６を備える印刷ユニット１５を制御して印刷動作を開始するように制御する。この際、スピンドルモータ２１は減速しつつも、はずみ車１０２による荷重の付与による慣性力によって安定した回転を行うこととなる。これにより、レーベル印刷に適する速度で光ディスクメディアＤが安定して回転し、良好な品位でレーベル印刷を行うことが可能になる。また。本実施形態では、レーベル印刷のための機能が印刷ユニット１５にまとめられているので、既存の光ディスク装置へのレーベル印刷機能の後付けを行うことが容易になる。
【００３８】
なお、下ディスククランプ２２、上ディスククランプ３９など、スピンドルモータ２１にとっての負荷となる部品の荷重を選定することによって、はずみ車１０２が荷重調整部材として付加されている構成と同等の作用を生じさせることができる。したがって、この場合には、上記の低速回転安定化機構１０１を構成から排除することも可能である。
【００３９】
印刷ユニット１５の印刷ヘッド１６と回転する光ディスクメディアＤのレーベル面との相対的な移動によって、光ディスクメディアＤのレーベル面には、たとえば、図９に示すような印刷１９が達成される。印刷ヘッド１６は、上記のように、ヘッド可動モータ４９の動力でディスクトレイ３の搬送方向に移動させることが可能であるため、光ディスクメディアＤの異なる半径位置にわたって印刷を行うことができる。これにより光ディスクメディアＤのレーベル面のほぼ全面に印刷を行うことができる。
【００４０】
また、レーベル印刷の際、光ディスク装置１００のコントローラは、光ディスクメディアＤに記録したコンテンツのタイトル（ファイル名）、日付などの情報を収集してコントローラ内のメモリに記憶しておき、レーベル印刷時にこれらの情報をもとに印刷データを生成して印刷を行うことが可能である。
【００４１】
また、光ディスク装置１００を総括的に制御するコントローラは、セットされた光ディスクメディアＤの種別、たとえば読み出し専用ディスク、追記型ディスク、書き替え型ディスク、両面記録ディスクなどの種別を、たとえば光の反射率の測定結果などをもとに判別することが可能である。この種の技術は既に多数提案されている。この技術と組み合わせることで、次のような機能を実現できる。
【００４２】
ユーザから光ディスク装置１００のコントローラにレーベル印刷の実行命令が与えられる。この場合、コントローラは印刷実行制限部として次のように機能する。すなわち、コントローラはこのレーベル印刷の実行命令に従って上記のレーベル印刷を開始する前に、セットされた光ディスクメディアＤの種別の判別結果から、レーベル印刷に不向きな種別の光ディスクメディアＤがセットされていることを判断した場合には、レーベル印刷の実行を無効にするように制御を行う。ここで、印刷に不向きな種別の光ディスクメディアＤとは、読み出し専用ディスク、両面記録ディスクなどである。
【００４３】
次に、本発明の第２の実施形態を説明する。本実施形態は低速回転安定化機構の変形例である。
【００４４】
図１０はこの第２の実施形態にかかる低速回転安定化機構１０１の構成を示す斜視図、図１１はこの低速回転安定化機構１０１の断面図である。本例は、上ディスククランプ３９とはずみ車１０２との連結のオンオフを切り替える機構を追加したものである。はずみ車１０２の上面から突出した軸１１８が、連結板１１３に回動自在に支持されている。この連結板１１３は、その一端がヒンジ部１１１にて回動自在に支持されており、その他端がアンダーカバー１５ｂに固定された連結モータ１１４の駆動軸に同軸に設けられたボールネジ１１７によって支持されている。連結板１１３のボールネジ１１７との結合部はネジ溝を内周面に有する穴１１６となっている。すなわち、この低速回転安定化機構１０１では、連結モータ１１４の動力によってボールネジ１１７が回転されることで、連結板１１３がヒンジ部１１１を支点に傾動して、連結板１１３に軸１１８を介して回転自在に連結されたはずみ車１０２が上下動し、この結果、はずみ車１０２と上ディスククランプ３９との結合のオンオフを切り替えることができる。はずみ車１０２と上ディスククランプ３９との結合には、たとえばマグネット１２１，１２２などが用いられている。
【００４５】
コントローラは、光ピックアップ１１による光ディスクメディアＤへの情報の記録が完了してスピンドルモータ２１への通電を停止させるように制御を行った後、連結モータ１１４を作動させてボールネジ１１７を所定の方向に回転させる。このボールネジ１１７の所定方向の回転より、連結板１１３のボールネジ１１７との係合位置が変位（下降）し、連結板１１３がヒンジ部１１１を支点に回動することによって、はずみ車１０２と上ディスククランプ３９とがマグネット１２１，１２２を介して結合される。これにより、はずみ車１０２の荷重が付与されることによる慣性力によって光ディスクメディアＤは回転数を下げながら安定して回転する。そして、回転数が所定の値以下になったところで、コントローラは印刷ヘッド１６によるレーベル印刷を開始するように制御を行う。
【００４６】
なお、連結モータ１１４は連結時とその解除時に通電すればよいので、消費電力の増大分は僅かで済む。また、連結モータ１１４は安価なＤＣモータで十分その機能をはたすことができる。
【００４７】
次に、本発明の第３の実施形態を説明する。本実施形態は、印刷ユニットの変形例である。図１２は本実施形態の印刷ユニット１５のディスクトレイ３との対向面を示す斜視図である。本実施形態は、印刷ユニット１５から印刷ヘッド１６を表出させるための開口３５にシャッター８１が設けられている点に特徴がある。このシャッター８１は印刷ユニット１５のアンダーカバー１５ｂに固定された軸８２によって、アンダーカバー１５ｂの面に沿って回動自在に支持されている。このシャッター８１は、レーベル印刷を開始するために印刷ヘッド格納部８４内の待機位置より印刷実行位置へ向けて搬送された印刷ヘッド１６の側面を受ける受け部８３を有している。この受け部８３が印刷ヘッド１６の側面によって押圧されることで、シャッター８１が軸８２を中心に回動してシャッター８１の裏に隠れていた開口３５が表れるようになっている。また、シャッター８１は、レーベル印刷を行うとき以外は閉じているように図示しないバネなどの付勢部材によって一定の回転方向つまり印刷ヘッド１６の側面によって押圧されたときの回転方向とは逆方向に付勢されている。これによりレーベル印刷時以外の余分な飛散インクを防ぐことができる。なお、飛散インクは印刷ヘッド格納部８４に設けた図示しないインク吸収体で吸収されて外部に漏れるのを防止している。
【００４８】
以上、本発明にかかる実施形態を説明したが、本発明は上記の実施形態に限定されるものではなく、次のような変形、応用の範囲を含むものである。
【００４９】
上記の印刷ユニット１５の印刷ヘッド１６の搬送機構はレーベル印刷を行うために必ずしも必須ではない。
【００５０】
トレイ方式に限らず、スロット方式にも本発明は適用可能である。スロット方式とは、光ディスクメディアをディスクトレイに乗せて搬送するのではなく、光ディスクメディアの両面を一対のロール体の間で挟持しつつ搬送する方式である。
【００５１】
印刷ヘッド１６は、インクジェット方式に限らず、他の様々な方式のものに代えることができる。
【００５２】
ＤＶＤ−ＲＡＭのように光ディスクメディアＤをカートリッジなどの収容体に収容して搬送する方式にも本発明は適用できる。この場合、カートリッジの面がレーベル印刷の対象領域となる。
【図面の簡単な説明】
【００５３】
【図１】本発明の第１の実施形態にかかるレーベル印刷機構を搭載したトレイ方式の光ディスク装置を示す斜視図。
【図２】図１の光ディスク装置のディスククランプ機構を示す斜視図。
【図３】図１の光ディスク装置の内部を示した斜視図。
【図４】図３から印刷ユニットを取り外して示す斜視図。
【図５】図３の印刷ユニットのディスクトレイとの対向面を示す斜視図。
【図６】図５の印刷ヘッドを示す斜視図。
【図７】図３の印刷ユニットのトップカバーを外して示した斜視図。
【図８】図７から印刷ヘッドベースを外して示す斜視図。
【図９】光ディスクメディアのレーベル面への印刷の例の示す図。
【図１０】本発明の第２の実施形態である低速回転安定化機構の変形例を示す斜視図。
【図１１】図１０の低速回転安定化機構の断面図。
【図１２】本発明の第３の実施形態である印刷ユニットの変形例を示す斜視図。
【符号の説明】
【００５４】
Ｄ      光ディスクメディア
１      筐体
３      ディスクトレイ
１１      光ピックアップ
１５      印刷ユニット
１６      印刷ヘッド
２１      スピンドルモータ
２２      下ディスククランプ
３９      上ディスククランプ
１００      光ディスク装置
１０１      低速回転安定化機構
１０２      はずみ車
１１１      ヒンジ部
１１３      シャフト連結板
１１４      連結モータ
１１７      ボールネジ
１２１，１２２      マグネット
【図１】
2007196462.tif 000003
【図２】
2007196462.tif 000004
【図３】
2007196462.tif 000005
【図４】
2007196462.tif 000006
【図５】
2007196462.tif 000007
【図６】
2007196462.tif 000008
【図７】
2007196462.tif 000009
【図８】
2007196462.tif 000010
【図９】
2007196462.tif 000011
【図１０】
2007196462.tif 000012
【図１１】
2007196462.tif 000013
【図１２】
2007196462.tif 000014